(57)【要約】【課題】インバータ装置用の冷却風ダクト内に専用の冷却ファンを設けることにより、インバータ装置を含めて圧縮機全体の冷却性能を高める。【解決手段】パッケージ１内の取付台５には、圧縮部８、電動モータ９、圧縮駆動部冷却ファン１０、インバータ装置１１等を搭載し、取付台５の下面側にはインバータ冷却ファン１４を取付ける。また、冷却風ダクト１２は、インバータ装置１１と冷却ファン１４とを取囲む位置から上向きに伸長させる。そして、圧縮機の運転時には、冷却ファン１４によりインバータ装置１１を冷却し、冷却後の暖かい空気を冷却風ダクト１２によって排気口４から外部に排気する。これにより、インバータ装置１１を下側近傍の冷却ファン１４により効率よく冷却できると共に、冷却後の空気を外部に排気して圧縮部８、電動モータ９等の冷却効率も高めることができる。【選択図】        図１
2004324615.tif 000002
【特許請求の範囲】
【請求項１】
パッケージと、該パッケージ内に設けられ気体を吸込んで圧縮し圧縮気体を吐出する圧縮部と、該圧縮部を駆動する駆動部と、該駆動部に給電することにより前記圧縮部を駆動するインバータ装置とを備えてなるパッケージ型圧縮機において、
前記パッケージ内には前記インバータ装置を取囲む冷却風ダクトを設け、該冷却風ダクトには前記インバータ装置に向けて冷却風を発生するインバータ冷却ファンを設ける構成としたことを特徴とするパッケージ型圧縮機。
【請求項２】
前記冷却風ダクトは前記冷却風の流出側が前記パッケージの外部に開口する構成としてなる請求項１に記載のパッケージ型圧縮機。
【請求項３】
前記パッケージ内には前記圧縮部、駆動部、インバータ装置およびインバータ冷却ファンが取付けられる取付台を設け、前記冷却風ダクトは前記インバータ装置とインバータ冷却ファンとを取囲む位置で上，下方向に延びる構成としてなる請求項１または２に記載のパッケージ型圧縮機。
【請求項４】
前記パッケージ内には前記圧縮部と駆動部とを冷却する圧縮駆動部冷却ファンを設け、前記取付台には該圧縮駆動部冷却ファンと異なる位置で前記冷却風ダクトに冷却風を流入させる流入路を設けてなる請求項３に記載のパッケージ型圧縮機。
【請求項５】
前記冷却風ダクトには前記圧縮部から吐出される圧縮気体を貯留する貯留タンクを設け、前記取付台と冷却風ダクトとは防振部材を介して前記パッケージに取付ける構成としてなる請求項３または４に記載のパッケージ型圧縮機。
【発明の詳細な説明】
【０００１】
【発明の属する技術分野】
本発明は、例えば空気、冷媒等の流体を圧縮するのに好適に用いられるパッケージ型圧縮機に関する。
【０００２】
【従来の技術】
一般に、パッケージ型圧縮機は、例えば空気、冷媒等の圧縮に用いられており、防音性を有する箱形状のパッケージ内に圧縮部、電動モータ、インバータ装置等を収容したものが知られている（例えば、特許文献１参照）。
【０００３】
【特許文献１】
特開平６−３４６８７５号公報
【０００４】
この種の従来技術による圧縮機は、インバータ装置から電動モータに給電を行うと、電動モータが圧縮部を駆動することにより、空気、冷媒等の流体を圧縮部に吸込んで圧縮し、これらを圧縮流体として外部に吐出するものである。
【０００５】
ここで、圧縮機の運転時には、パッケージ内の閉塞された空間で圧縮部、電動モータ、インバータ装置等の各部品が発熱することによって高温となる。このため、パッケージには空気の吸気口と排気口とが設けられ、排気口の近傍には、各部品を冷却するための冷却ファンが設けられている。
【０００６】
そして、冷却ファンが作動すると、パッケージ内の空気が排気口から外部に排気されることにより、外部の空気が吸気口から吸込まれて冷却風となる。この場合、冷却風の一部は、圧縮部や電動モータ等を冷却した後に、冷却ファンによって排気口からパッケージの外部に排気される。
【０００７】
また、残りの冷却風は、パッケージ内のダクト部材等に沿って流れることにより、吸気口の近傍に配置されたインバータ装置の周囲に導かれる。そして、この冷却風はインバータ装置を冷却した後に、パッケージ内の空間を通って冷却ファンに吸寄せられ、排気口から外部に排気される構成となっている。
【０００８】
【発明が解決しようとする課題】
ところで、上述した従来技術では、パッケージの排気口側に冷却ファンを設け、この冷却ファンによってパッケージ内の空気を外部に排気することにより、パッケージ内に冷却風を吸込む構成としている。
【０００９】
しかし、圧縮機の運転時には、冷却ファンの排気動作によって外部の空気がパッケージ内に間接的に吸込まれるに過ぎず、この空気の流れは弱い冷却風となってインバータ装置の周囲を流れることになり易い。
【００１０】
このため、従来技術では、インバータ装置が電動モータに大電流を供給することによって多量の熱を発生するにも拘らず、その周囲を流れる冷却風の風量、風速等が不足し易くなり、インバータ装置を効率よく冷却するのが難しいという問題がある。
【００１１】
しかも、パッケージ内に吸込まれた冷却風は、発熱量が多いインバータ装置を吸気口の近傍で冷却することにより、その熱を吸収して温風となる。このため、従来技術では、インバータ装置の位置を通過した暖かい冷却風が、その下流側に位置する他の部品等の近傍を流れるため、これらの部品が十分に冷却されなくなり、全体の冷却効率が低下するという問題がある。
【００１２】
本発明は上述した従来技術の問題に鑑みなされたもので、本発明の目的は、インバータ装置を確実に冷却できると共に、他の部品を含めて圧縮機全体の冷却性能を向上できるようにしたパッケージ型圧縮機を提供することにある。
【００１３】
【課題を解決するための手段】
上述した課題を解決するために本発明は、パッケージと、該パッケージ内に設けられ気体を吸込んで圧縮し圧縮気体を吐出する圧縮部と、該圧縮部を駆動する駆動部と、該駆動部に給電することにより前記圧縮部を駆動するインバータ装置とを備えてなるパッケージ型圧縮機に適用される。
【００１４】
そして、請求項１の発明が採用する構成の特徴は、パッケージ内にはインバータ装置を取囲む冷却風ダクトを設け、該冷却風ダクトには前記インバータ装置に向けて冷却風を発生するインバータ冷却ファンを設ける構成としている。
【００１５】
このように構成することにより、冷却風ダクトは、例えばパッケージ内でインバータ装置のみを取囲むことができ、圧縮部、駆動部等からなる他の部品は冷却風ダクトの外側に配置することができる。そして、インバータ冷却ファンによって冷却風ダクト内を流れる冷却風を発生でき、この冷却風によってインバータ装置を冷却することができる。
【００１６】
また、請求項２の発明によると、冷却風ダクトは冷却風の流出側がパッケージの外部に開口する構成としている。これにより、インバータ装置を冷却することによって冷却風の温度が上昇したとしても、この暖かい冷却風を冷却風ダクトによってパッケージの外部に排気でき、暖かい冷却風がパッケージ内で圧縮部、駆動部等の近傍を流れるのを防止することができる。
【００１７】
また、請求項３の発明によると、パッケージ内には圧縮部、駆動部、インバータ装置およびインバータ冷却ファンが取付けられる取付台を設け、冷却風ダクトは前記インバータ装置とインバータ冷却ファンとを取囲む位置で上，下方向に延びる構成としている。
【００１８】
これにより、取付台には、例えばインバータ装置とインバータ冷却ファンとを互いに対面した状態で取付けることができ、これらを取囲む位置から上向きに冷却風ダクトを延ばすことができる。そして、パッケージ内には、例えばインバータ装置、冷却風ダクトおよびインバータ冷却ファンを上，下方向に重なり合うように配置することができる。
【００１９】
また、請求項４の発明によると、パッケージ内には圧縮部と駆動部とを冷却する圧縮駆動部冷却ファンを設け、取付台には該圧縮駆動部冷却ファンと異なる位置で冷却風ダクトに冷却風を流入させる流入路を設ける構成としている。
【００２０】
これにより、圧縮機の運転時には、圧縮駆動部冷却ファンによって圧縮部と駆動部とを冷却することができる。また、取付台には、圧縮駆動部冷却ファンによる冷却風の流れと異なる位置に流入路を配置でき、この流入路から冷却風ダクトに向けて冷却風を流入させることができる。
【００２１】
また、請求項５の発明によると、冷却風ダクトには圧縮部から吐出される圧縮気体を貯留する貯留タンクを設け、取付台と冷却風ダクトとは防振部材を介してパッケージに取付ける構成としている。
【００２２】
これにより、圧縮部を支持する取付台と、貯留タンクを支持する冷却風ダクトとを、防振部材を介してパッケージに取付けることができる。このため、例えば圧縮部と貯留タンクとを金属製の吐出配管等によって接続する場合でも、これらの構造物とパッケージとの間に防振部材を介在させることができ、この防振部材によって構造物を支持することができる。従って、圧縮機の運転時には、これらの圧縮部、貯留タンク、吐出配管等を剛性が高い一体構造物として、防振部材を介して一緒に振動させることができ、吐出配管の接続部位等を振動による応力から保護することができる。
【００２３】
【発明の実施の形態】
以下、本発明の実施の形態によるパッケージ型圧縮機を、添付図面に従って詳細に説明する。
【００２４】
ここで、図１ないし図５は第１の実施の形態を示し、本実施の形態では、パッケージ型の空気圧縮機を例に挙げて説明する。
【００２５】
１は空気圧縮機の外郭を構成するパッケージで、該パッケージ１は、例えば複数の金属板等により中空の箱形状に形成され、その内部には、後述の取付台５、圧縮部８、電動モータ９、冷却ファン１０，１４、インバータ装置１１、冷却風ダクト１２、空気タンク１５等が収容されている。
【００２６】
そして、パッケージ１は、その下部側に位置する四角形状の底板１Ａと、該底板１Ａの四辺に立設され、底板１Ａを取囲んで上向きに延びた４枚の側板１Ｂ，１Ｃ，１Ｄ（３枚のみ図示）と、これらの側板１Ｂ〜１Ｃの上端側に設けられ、パッケージ１内の空間を上側から閉塞する上板１Ｅとにより構成されている。
【００２７】
また、例えば図１中の左側に位置する側板１Ｂには、冷却ファン１０，１４により外部の空気をパッケージ１内に吸込む上，下の吸気口２，３が設けられている。また、上板１Ｅには、冷却風ダクト１２から流出する空気等を外部に排気する排気口４が設けられている。
【００２８】
５はパッケージ１の底板１Ａ上に設けられた取付台で、該取付台５は、図２、図５に示す如く、例えば金属板を略コ字状に折曲げ加工することにより、長さ方向の両側と下面側とが開口した細長い箱状体として形成され、後述の圧縮部８、電動モータ９、冷却ファン１０，１４、インバータ装置１１等を搭載するものである。
【００２９】
ここで、取付台５は、パッケージ１の底板１Ａ上に互いに間隔をもって立設された例えば２枚の縦板５Ａと、該各縦板５Ａの上端側を連結して設けられ、底板１Ａと間隔をもって水平方向に延びる横板５Ｂと、各縦板５Ａの下端側にＬ字状に屈曲して形成され、後述の取付ねじ１７を用いて底板１Ａに取付けられるフランジ部５Ｃとにより構成されている。
【００３０】
そして、取付台５は、図３、図４に示す如く、長さ方向の一側がパッケージ１の下側の吸気口３に面して配置され、他側が後述の冷却風ダクト１２内に配置されている。また、取付台５の内側には、パッケージ１の底板１Ａとの間に位置して流入路６が画成され、この流入路６は、後述の圧縮駆動部冷却ファン１０と異なる位置で吸気口３から冷却風ダクト１２に冷却風を流入させるものである。この場合、取付台５の横板５Ｂには、流入路６と冷却風ダクト１２とを連通する通気孔７が形成されている。
【００３１】
８は取付台５の横板５Ｂの上面側に搭載された圧縮部で、該圧縮部８は、例えば往復動型の圧縮機等からなり、図５に示す如く、後述の電動モータ９、圧縮駆動部冷却ファン１０およびインバータ装置１１と一体化されると共に、これらはねじ止め等の手段によって取付台５に固定されている。この場合、圧縮部８、電動モータ９および圧縮駆動部冷却ファン１０は、冷却風ダクト１２の外側に配置されている。
【００３２】
そして、圧縮部８は、電動モータ９によって駆動されることにより、空気を吸込んで圧縮し、圧縮空気を吐出するものである。この場合、圧縮部８の吸込側にはサイレンサ８Ａが接続され、圧縮部８の吐出側には、後述の空気タンク１５が吐出配管１６等を介して接続されている。
【００３３】
９は圧縮部８に取付けられた駆動部としての電動モータで、該電動モータ９の出力側には、圧縮部８の回転軸（図示せず）と圧縮駆動部冷却ファン１０とが連結されている。そして、電動モータ９は、インバータ装置１１から給電されることにより、圧縮部８を駆動しつつ、圧縮駆動部冷却ファン１０を回転させるものである。
【００３４】
１０は圧縮部８に取付けられた圧縮駆動部冷却ファンで、該圧縮駆動部冷却ファン１０は、パッケージ１の上側の吸気口２に面して配置され、圧縮部８の回転軸に連結されると共に、電動モータ９によって回転駆動される。そして、冷却ファン１０は、図３中の矢示Ａ１，Ａ２に示す如く、パッケージ１の外部の空気を吸気口２から吸込み、この空気を冷却風として圧縮部８、電動モータ９等に送風することにより、これらを冷却する構成となっている。
【００３５】
１１は電動モータ９を介して取付台５の上面側に取付けられたインバータ装置で、該インバータ装置１１は、例えば外部の電源（図示せず）等から電動モータ９に給電する電流の大きさ、周波数等を制御することにより、圧縮部８を所定の状態で作動させるものである。
【００３６】
この場合、インバータ装置１１は、例えばアルミニウム合金等の熱伝導性が良好な金属ケース内にインバータ回路（図示せず）が収容され、この金属ケースの外面側には複数の放熱フィン１１Ａが形成されている。そして、これらの放熱フィン１１Ａは、冷却風ダクト１２内に位置して取付台５の通気孔７の上側近傍に配置されている。
【００３７】
１２は取付台５と一緒にパッケージ１の底板１Ａ上に立設された縦置き型の冷却風ダクトで、該冷却風ダクト１２は、図２、図５に示す如く、例えば上，下方向に延びる細長い四角形の筒状体として形成され、その内部は、後述のインバータ冷却ファン１４による冷却風が排気口４に向けて流出する流出路１３となっている。そして、冷却風ダクト１２は、インバータ装置１１を冷却した後の冷却風を上側の排気口４からパッケージ１の外部に排気するものである。
【００３８】
ここで、冷却風ダクト１２は、その側面を構成する四辺の側板１２Ａ，１２Ｂ，１２Ｃ，１２Ｄと、これらの側板１２Ａ〜１２Ｄの上端側に設けられた四角形状の上板１２Ｅと、例えば取付台５を挟んで両側に位置する２枚の側板１２Ｂ，１２Ｄの下端側にＬ字状に屈曲して形成されたフランジ部１２Ｆとにより構成されている。
【００３９】
この場合、側板１２Ａには、取付台５、インバータ装置１１等を冷却風ダクト１２内に配置するための切欠き１２Ｇが形成され、冷却風ダクト１２の下部側（冷却風の流入側）は、他の３枚の側板１２Ｂ〜１２Ｄによって取付台５、インバータ装置１１、冷却ファン１４等の部材を取囲んでいる。
【００４０】
また、冷却風ダクト１２は、これらの部材を取囲む位置から排気口４に向けて上向きに延び、その上部側（冷却風の流出側）は排気口４を介してパッケージ１の外部に開口している。この場合、冷却風ダクト１２の上板１２Ｅは、パッケージ１の上板１Ｅと小さな隙間をもって配置され、この上板１２Ｅには排気口４に面した円形状の開口部１２Ｈが形成されている。
【００４１】
また、冷却風ダクト１２の各フランジ部１２Ｆは、後述の取付ねじ１７と防振ゴム１８とを介してパッケージ１の底板１Ａに取付けられ、取付台５のフランジ部５Ｃと一緒に底板１Ａに共締めされている。
【００４２】
１４は冷却風ダクト１２内に設けられたインバータ冷却ファンで、該インバータ冷却ファン１４は、図３、図４に示す如く、例えば電動式の軸流ファン等からなり、取付台５の通気孔７を覆う位置で横板５Ｂの下面側に取付けられると共に、その作動時には、矢示Ｂ１，Ｂ２に示す如く、インバータ装置１１に向けて冷却風を発生するものである。
【００４３】
ここで、インバータ冷却ファン１４は、冷却風の流れ方向に対してインバータ装置１１の上流側（流入側）、即ち下側の近傍に配置され、通気孔７を介して各放熱フィン１１Ａと対面している。そして、インバータ冷却ファン１４は、外部から給電されることにより、取付台５の流入路６から吸込んだ空気をインバータ装置１１に向けて上向きに送風し、各放熱フィン１１Ａに冷却風を強く吹付け、これによってインバータ装置１１を効率よく冷却する構成となっている。
【００４４】
一方、１５はパッケージ１内に設けられた貯留タンクとしての縦置き型の空気タンクで、該空気タンク１５は、冷却風ダクト１２によりパッケージ１の底板１Ａ、側板１Ｂ〜１Ｄ等から離れた位置に支持されると共に、金属パイプ等の吐出配管１６を介して圧縮部８の吐出側に接続されている。そして、空気タンク１５は、圧縮部８から吐出される圧縮空気を貯留し、この圧縮空気を他の供給配管（図示せず）等を介して外部の空圧機器等に供給するものである。
【００４５】
ここで、冷却風ダクト１２には、例えば側板１２Ｃの外面側に上，下２箇所のブラケット１５Ａが突設されている。そして、空気タンク１５は、これらのブラケット１５Ａを介して冷却風ダクト１２に固着され、この冷却風ダクト１２に沿って上，下方向に延びている。
【００４６】
このように、本実施の形態では、取付台５の流入路６、インバータ装置１１、冷却風ダクト１２、インバータ冷却ファン１４等の部品をパッケージ１内で上，下方向に重なり合うように配置し、上，下方向に延びる冷却風ダクト１２に縦置き型の空気タンク１５を取付ける構成としている。このため、パッケージ１内の各部品を水平方向に対してコンパクトに配置でき、圧縮機の占有面積（底板１Ａの面積）を小型化できるものである。
【００４７】
１７は取付台５と冷却風ダクト１２とをパッケージ１の底板１Ａに取付ける複数の取付ねじで、該各取付ねじ１７は、例えば取付台５の四隅に位置して各フランジ部５Ｃをパッケージ１の底板１Ａに締着している。また、各取付ねじ１７のうち、例えば図３中で右側に位置する２本の取付ねじ１７は、取付台５と冷却風ダクト１２とを底板１Ａに一緒に固定する共通の固定部材として用いられ、これらのフランジ部５Ｃ，１２Ｆを底板１Ａに共締めしている。
【００４８】
１８は取付台５（冷却風ダクト１２）とパッケージ１の底板１Ａとの間に設けられた複数の防振ゴムで、該各防振ゴム１８は、例えばゴムブッシュ、積層ゴム、ゴムダンパ等からなる筒状の防振部材として形成され、圧縮部８、電動モータ９等で発生する振動がパッケージ１に伝わるのを防止するものである。
【００４９】
そして、防振ゴム１８は、各取付ねじ１７の外周側に挿通され、取付台５のフランジ部５Ｃ（冷却風ダクト１２のフランジ部１２Ｆ）と、パッケージ１の底板１Ａとの間に弾性変形可能な状態で配置されている。この場合、防振ゴム１８は、金属製の吐出配管１６等を介して高い剛性で接続された圧縮部８、空気タンク１５等の部材とパッケージ１の底板１Ａとの間に介在し、これらの圧縮部８、空気タンク１５、吐出配管１６等を底板１Ａ上で弾性的に支持している。
【００５０】
これにより、圧縮機の運転時には、圧縮部８、空気タンク１５、吐出配管１６等の部品が剛性の高い一体構造物として、互いにほぼ等しい振動状態（振動モード）をもって防振ゴム１８上で振動する。従って、これらの部品の接続部位等に振動による応力が加わるのを防止できるものである。
【００５１】
本実施の形態によるパッケージ型圧縮機は上述の如き構成を有するもので、次にその作動について説明する。
【００５２】
まず、インバータ装置１１により電動モータ９に給電を行うと、電動モータ９により圧縮部８が駆動され、サイレンサ８Ａから空気が吸込まれて圧縮部８で圧縮される。そして、この圧縮空気は吐出配管１６に吐出され、空気タンク１５内に貯留されるので、外部の空圧機器等に圧縮空気を供給することができる。
【００５３】
この場合、圧縮部８が駆動されることにより振動が発生し、この振動は吐出配管１６等を介して空気タンク１５に伝達される。しかし、空気タンク１５は、冷却風ダクト１２に支持され、圧縮部８や吐出配管１６と一緒に防振ゴム１８を介してパッケージ１の底板１Ａ上に弾性的に取付けられている。
【００５４】
このため、圧縮部８、空気タンク１５、吐出配管１６等の部品は、剛性が高い一体構造物として防振ゴム１８上で一緒に振動するようになり、これによって各部品の接続部位を振動による応力等から保護することができる。
【００５５】
また、電動モータ９により圧縮部８が駆動されると、これに伴って圧縮駆動部冷却ファン１０も駆動され、この冷却ファン１０によりパッケージ１の吸気口２から外気が冷却風として吸込まれる。そして、この冷却風は、例えば図３中に矢示Ａ１，Ａ２として示すように流通し、圧縮機の運転時に高温となる圧縮部８、電動モータ９等を冷却する。また、これらを冷却した後の暖かい冷却風は、パッケージ１の上側に流動して排気口４から外部に排気される。
【００５６】
一方、圧縮機の運転時には、例えば圧縮機の電源スイッチ（図示せず）等に連動してインバータ冷却ファン１４が駆動され、この冷却ファン１４によりパッケージ１の吸気口３から外気が冷却風として吸込まれる。
【００５７】
そして、この冷却風は、図３中の矢示Ｂ１に示す如く、取付台５の下側の流入路６に流入し、冷却ファン１４により通気孔７を介してインバータ装置１１の各放熱フィン１１Ａに強く吹付けられる。これにより、圧縮機の運転中には、特に高温となるインバータ装置１１を効率よく冷却することができる。
【００５８】
また、インバータ装置１１を冷却した後の冷却風は温風となるが、この温風は、矢示Ｂ２に示す如く、冷却風ダクト１２内の流出路１３に沿って上向きに流れるようになり、パッケージ１内で冷却風ダクト１２の外側に漏れ出ることなく、排気口４から外部に排気される。
【００５９】
かくして、本実施の形態によれば、パッケージ１内には、圧縮部８、電動モータ９およびインバータ装置１１のうちインバータ装置１１のみを取囲む冷却風ダクト１２を設け、該冷却風ダクト１２内には、インバータ冷却ファン１４を設ける構成としている。
【００６０】
これにより、圧縮機の運転時には、インバータ装置１１専用の冷却ファン１４によって冷却風ダクト１２内を流れる冷却風を発生でき、この冷却風によってインバータ装置１１を効率よく冷却することができる。また、圧縮部８と電動モータ９とは、これら専用の圧縮駆動部冷却ファン１０によって効率よく冷却できるから、圧縮機全体の冷却性能を高めることができる。
【００６１】
この場合、冷却風ダクト１２は、冷却風の流出側（開口部１２Ｈ側）がパッケージ１の排気口４を介して外部に開口する形状としたので、インバータ装置１１を冷却することによって冷却風の温度が上昇したとしても、この暖かい冷却風を冷却風ダクト１２によって排気口４からパッケージ１の外部へと確実に排気することができる。
【００６２】
これにより、インバータ装置１１を冷却した後の暖かい冷却風がパッケージ１内で圧縮部８、電動モータ９等の近傍を流れるのを防止でき、インバータ装置１１から多量の熱が発生する場合でも、パッケージ１内の他の部品に対して高い冷却効率を維持することができる。
【００６３】
また、パッケージ１の底板１Ａにはテーブル状の取付台５を設けたので、その横板５Ｂの上面側には、圧縮部８、電動モータ９およびインバータ装置１１を安定的に搭載でき、横板５Ｂの下面側には、インバータ装置１１と対面する位置にインバータ冷却ファン１４を容易に取付けることができる。
【００６４】
従って、パッケージ１内には、簡単な形状の取付台５を用いて複数の部品を上，下方向に離れた所定の位置に固定でき、各部品の取付けを容易に行うことができる。また、インバータ冷却ファン１４をインバータ装置１１の下側近傍に配置できるから、冷却ファン１４によりインバータ装置１１に冷却風を強く吹付けることができ、その冷却効率を高めることができる。
【００６５】
この場合、取付台５には、圧縮駆動部冷却ファン１０による冷却風の流れ（矢示Ａ１，Ａ２）と異なる位置に流入路６を設けたので、インバータ冷却ファン１４の作動時には、この流入路６から冷却風ダクト１２に向けて冷却風を円滑に流入させることができ、それぞれの冷却ファン１０，１４に対して冷却風の流路（風量）を安定的に確保することができる。そして、取付台５をダクト構造の一部として兼用できるから、パッケージ１内の構造を簡略化することができる。
【００６６】
また、冷却風ダクト１２を上，下方向に延びる縦置き型の形状としたので、パッケージ１内には、インバータ装置１１、冷却風ダクト１２およびインバータ冷却ファン１４を上，下方向に重なり合うようにコンパクトに配置でき、パッケージ１内にインバータ用のダクト構造を配置した状態でも、圧縮機を水平方向に対して小型化することができる。
【００６７】
しかも、冷却風ダクト１２の外面側には、縦置き型の空気タンク１５を取付けたので、この空気タンク１５を冷却風ダクト１２に沿ってコンパクトに配置でき、圧縮機の設置面積をより小さくすることができる。
【００６８】
また、圧縮部８を支持する取付台５と、空気タンク１５を支持する冷却風ダクト１２とを、防振ゴム１８を介してパッケージ１の底板１Ａに取付けたので、圧縮部８と空気タンク１５とを金属製の吐出配管１６等により接続した状態でも、これらの構造物とパッケージ１の底板１Ａとの間に防振ゴム１８を介在させることができる。
【００６９】
これにより、防振ゴム１８は、圧縮部８、空気タンク１５、吐出配管１６等を剛性が高い一体構造物として弾性的に支持でき、圧縮機の運転時には、この一体構造物を防振ゴム１８を介して一緒に振動させることができる。このため、例えば圧縮部８で発生した振動が空気タンク１５に伝わるときに、両者の振動状態（振動の周期、位相、振幅等）にずれが生じ、これらの部材と吐出配管１６との接続部位に応力が加わるのを防止することができる。従って、吐出配管１６を応力による損傷等から保護でき、圧縮機の耐久性を高めることができる。
【００７０】
また、取付台５と冷却風ダクト１２とは、共通の取付ねじ１７を用いてパッケージ１の底板１Ａに共締めするようにしたので、取付ねじ１７等の部品点数を削減でき、これらの取付構造を簡略化することができる。
【００７１】
次に、図６は本発明による第２の実施の形態を示し、本実施の形態の特徴は、冷却風ダクト内にインバータ冷却ファンを取付ける構成としたことにある。なお、本実施の形態では、前記第１の実施の形態と同一の構成要素に同一の符号を付し、その説明を省略するものとする。
【００７２】
２１は第１の実施の形態によるインバータ冷却ファン１４に代えて本実施の形態で用いられるインバータ冷却ファンを示し、該インバータ冷却ファン２１は、第１の実施の形態とほぼ同様に、例えば電動式の軸流ファン等からなり、インバータ装置１１に向けて冷却風を発生するものである。
【００７３】
しかし、冷却ファン２１は、冷却風ダクト１２の側板１２Ａ〜１２Ｄの内側に取付けられ、冷却風の流れ方向に対してインバータ装置１１の下流側（流出側）、即ち上側の近傍に配置されている。そして、インバータ冷却ファン２１の作動時には、取付台５の流入路６からインバータ装置１１の位置を通って冷却風ダクト１２内に冷却風が吸込まれる構成となっている。
【００７４】
かくして、このように構成される本実施の形態でも、第１の実施の形態とほぼ同様の作用効果を得ることができる。特に、本実施の形態では、冷却風ダクト１２内にインバータ冷却ファン２１を取付ける構成としたので、取付台５内の空間（流入路６）を用いることなく、冷却ファン２１の取付位置を冷却風ダクト１２内に確保でき、設計自由度を高めることができる。
【００７５】
なお、前記各実施の形態では、インバータ冷却ファン１４，２１を冷却風ダクト１２内に設ける構成とした。しかし、本発明によるインバータ冷却ファンの取付位置は冷却風ダクトの内部に限るものではなく、例えば図６中に仮想線で示す変形例のように構成してもよい。この場合、インバータ冷却ファン１４′は、冷却風ダクト１２の流入側の開口位置に配置され、この位置で取付台５に取付けられている。
【００７６】
また、実施の形態では、上，下方向に延びる縦置き型の冷却風ダクト１２を主としてインバータ装置１１の下流側に配置する構成とした。しかし、本発明による冷却風ダクトの形状、配置等は実施の形態に限るものではなく、例えば冷却風ダクトを水平方向に延ばす構成としてもよい。また、冷却風ダクトをインバータ装置１１の上流側と下流側とにわたって延ばす構成としてもよい。
【００７７】
また、実施の形態では、テーブル状の取付台５を用いる構成とした。しかし、本発明による取付台の形状、配置等は実施の形態に限るものではなく、圧縮部８、電動モータ９、冷却ファン１０，１４、インバータ装置１１等を支持することができれば、任意の形状、配置としてよいものである。
【００７８】
また、実施の形態では、往復動型の空気圧縮機を例に挙げて説明した。しかし、本発明はこれに限らず、例えばスクロール型の圧縮機にも適用でき、また冷媒を圧縮する冷媒圧縮機等にも適用できるのは勿論である。
【００７９】
【発明の効果】
以上詳述した通り、請求項１の発明によれば、パッケージ内には、インバータ装置を取囲む冷却風ダクトを設け、該冷却風ダクトにはインバータ冷却ファンを設ける構成としたので、圧縮機の運転時には、インバータ装置を専用の冷却ファンによって効率よく冷却することができる。そして、冷却風ダクトは、インバータ装置を冷却した後の暖かい冷却風が圧縮部、駆動部等の近傍を流れるのを防止でき、圧縮機全体の冷却性能を高めることができる。
【００８０】
また、請求項２の発明によれば、冷却風ダクトは、冷却風の流出側が前記パッケージの外部に開口する構成としたので、インバータ装置を冷却した後の暖かい冷却風を冷却風ダクトによってパッケージの外部へと確実に排気でき、暖かい冷却風がパッケージ内で圧縮部、駆動部等の近傍を流れるのを防止することができる。これにより、インバータ装置から多量の熱が発生する場合でも、パッケージ内の他の部品に対して高い冷却効率を維持することができる。
【００８１】
また、請求項３の発明によれば、冷却風ダクトは、取付台に取付けられたインバータ装置とインバータ冷却ファンとを取囲む位置で上，下方向に延びる構成としたので、例えばインバータ装置の近傍にインバータ冷却ファンを取付けることができ、インバータ装置に冷却風を強く吹付けることができるから、その冷却効率を高めることができる。また、取付台によって各部品の取付けを容易に行うことができる。そして、パッケージ内には、インバータ装置、冷却風ダクトおよびインバータ冷却ファンを上，下方向に重なり合うようにコンパクトに配置でき、パッケージ内にインバータ用のダクト構造を配置した状態でも、圧縮機を水平方向に対して小型化することができる。
【００８２】
また、請求項４の発明によれば、取付台には、圧縮駆動部冷却ファンと異なる位置で冷却風ダクトに冷却風を流入させる流入路を設ける構成としたので、インバータ装置だけでなく、圧縮部と駆動部も効率よく冷却することができる。また、圧縮駆動部冷却ファンによる冷却風の流れと異なる位置で取付台の流入路から冷却風ダクトに向けて冷却風を円滑に流入させることができる。従って、圧縮駆動部冷却ファンとインバータ冷却ファンのそれぞれに対して冷却風の流路（風量）を安定的に確保でき、全体の冷却効率を高めることができる。そして、取付台をダクト構造の一部として兼用できるから、パッケージ内の構造を簡略化することができる。
【００８３】
また、請求項５の発明によれば、冷却風ダクトには圧縮気体を貯留する貯留タンクを設け、取付台と冷却風ダクトとは防振部材を介してパッケージに取付ける構成としたので、防振部材は、例えば圧縮部、貯留タンクや、これらの接続する吐出配管等を剛性が高い一体構造物として弾性的に支持することができる。これにより、圧縮機の運転時には、この一体構造物を防振部材を介して一緒に振動させることができる。従って、例えば圧縮部と貯留タンクとの間で振動状態にずれが生じることにより吐出配管の接続部位等に応力が加わるのを防止でき、吐出配管等を応力による損傷等から保護できると共に、圧縮機の耐久性を高めることができる。
【図面の簡単な説明】
【図１】本発明の第１の実施の形態によるパッケージ型空気圧縮機を側板の一部を取外した状態で示す斜視図である。
【図２】パッケージを取外した空気圧縮機を示す斜視図である。
【図３】図１中の矢示ＩＩＩ−ＩＩＩ方向からみた縦断面図である。
【図４】図３中の取付台、インバータ冷却ファン等を拡大して示す部分拡大断面図である。
【図５】パッケージ型空気圧縮機を組立てる前の状態を示す分解斜視図である。
【図６】本発明の第２の実施の形態によるパッケージ型圧縮機を示す縦断面図である。
【符号の説明】
１  パッケージ
２，３  吸気口
４  排気口
５  取付台
６  流入路
７  通気孔
８  圧縮部
９  電動モータ（駆動部）
１０  圧縮駆動部冷却ファン
１１  インバータ装置
１２  冷却風ダクト
１３  流出路
１４，１４′，２１  インバータ冷却ファン
１５  空気タンク（貯留タンク）
１６  吐出配管
１７  取付ねじ
１８  防振ゴム（防振部材）
【図１】
2004324615.tif 000003
【図２】
2004324615.tif 000004
【図３】
2004324615.tif 000005
【図４】
2004324615.tif 000006
【図５】
2004324615.tif 000007
【図６】
2004324615.tif 000008